(57)【要約】【課題】操作部用配線ケーブルが執務者および天板周辺の物品等に接触するのを防止することができる、天板昇降式デスクを提供する。【解決手段】下部支持体と、上部支持体９と、これら下部支持体と上部支持体９との間を伸縮可能に連結する昇降機構ユニット５と、を有する脚体と、天板４と、昇降機構ユニット５を制御する制御ユニット６と、を有する天板昇降式デスクである。制御ユニット６が天板４の下面側に配設され、昇降機構ユニット５の昇降動作信号を入力する操作部７が、操作部用配線ケーブル１５を介して制御ユニット６に接続されると共に、天板４の前端縁部下面側に配設されている。上部支持体９は、天板４の下面を支持するとともに、前後方向に延びて配設されている。上部支持体９には、操作部用配線ケーブル１５が配設されている。【選択図】図３
2019037859.tif 000002
【特許請求の範囲】
【請求項１】
床面上に配置される下部支持体と、前記下部支持体の上方に配置されるとともに、前後方向に延びる上部支持体と、これら下部支持体と上部支持体との間を伸縮可能に連結する昇降機構ユニットと、を有する脚体と、
前記脚体の上部支持体上に支持される平板状の天板と、
前記脚体の昇降機構ユニットを制御する制御ユニットと、を有する天板昇降式デスクにおいて、
前記制御ユニットが前記天板の下面側に配設され、
前記昇降機構ユニットの昇降動作信号を入力する操作部が、操作部用配線ケーブルを介して前記制御ユニットに接続されると共に、前記天板の前端縁部下面側に配設され、
前記操作部用配線ケーブルが、前記上部支持体内に配設されていることを特徴とする天板昇降式デスク。
【請求項２】
前記上部支持体の先端部には、前記操作部用配線ケーブルを前記上部支持体内に通す開口部が形成されていることを特徴とする請求項１に記載の天板昇降式デスク。
【請求項３】
前記上部支持体の前記開口部には、該上部支持体内に通された操作部用配線ケーブルを保持するキャップ部材が嵌め込まれていることを特徴とする請求項２に記載の天板昇降式デスク。
【請求項４】
前記脚体は、左右方向に離間して一対配設され、
一対の前記脚体の上部支持体同士を連結する連結部材を備えていることを特徴とする請求項１から請求項３の何れか１項に記載の天板昇降式デスク。
【請求項５】
前記上部支持体は、前記操作部用配線ケーブルを下方から保持する上部アームを備えていることを特徴とする請求項１から請求項４の何れか１項に記載の天板昇降式デスク。
【発明の詳細な説明】
【技術分野】
【０００１】
本発明は、オフィスや公共施設等の執務空間において、執務者の要望に応じて天板高さを上下に変更可能とした、天板昇降式デスクに関する。
【背景技術】
【０００２】
オフィスや公共施設等の執務空間においては、執務者に作業エリアを提供するためにデスクが配設されているのが一般的である。このようなデスクにおいて、作業のし易い天板高さは、執務者の体格や性別、嗜好等によって個々によって大きく異なる。しかし、天板高さが一定である一般的なデスクでは前記の実状に対応できないため、従来、天板高さを上下に変更可能とした天板昇降式デスクが提供されている。
【０００３】
このような天板昇降式デスクを用いることにより、執務者の要望に応じた天板高さの作業エリアを提供することができ、作業効率を向上すると共に、執務者の体への負荷を低減することができる。天板高さを上下に変更するための手法としては、ガススプリングを用いること（例えば、特許文献１、特許文献２参照）や、ギアを用いることなどが提案されている。これらの手法によれば、比較的簡易な構造にすることができ、コストを安く抑えることができる。
【０００４】
しかしながら、これらの手法では、力の弱い執務者では操作し難い場合があったり、天板の高さにおける操作姿勢の悪さの影響を受けやすいという問題を有していた。
こうした問題に鑑み、執務者の操作性を良好にする手法として、天板高さを自動的に上下変更できる電動式駆動ユニット（昇降駆動ユニット）を用いることが提案されている（例えば、特許文献３、特許文献４、特許文献５参照）。この手法によれば、執務者が簡易な操作で天板高さを変更することができる。なお、電動式駆動ユニットの駆動制御を行う駆動制御ユニットは、通常、天板の下面側に配置される。
【先行技術文献】
【特許文献】
【０００５】
【特許文献１】特許第３３７１９５９号公報
【特許文献２】特許第３３９１２８５号公報
【特許文献３】登録実用新案第３１６４７３９号公報
【特許文献４】特開２０１４−１１３５０５号公報
【特許文献５】特開２０１４−１４０７５３号公報
【発明の概要】
【発明が解決しようとする課題】
【０００６】
ところで、電動式駆動ユニットを用いた天板昇降式デスクにおいては、電動式駆動ユニットと前記駆動制御ユニットとを連結するユニット間配線ケーブルや、電源と前記駆動制御ユニットとを連結する電源ケーブル、さらには電動式駆動ユニットの駆動動作信号を入力するための操作部と前記駆動制御ユニットとを連結する操作部用配線ケーブルなど、種々のケーブル（電気配線）が必要となっている。
【０００７】
このような電気配線のうち、特に操作部用配線ケーブルについては、天板の下面側に配置された駆動制御ユニットと操作部とを接続する必要上、天板昇降式デスク内に引き入れられて配置される。
しかし、デスクの特性として天板位置が上下に変位可能（昇降可能）となっているため、駆動制御ユニットや操作部が天板などの昇降部分に設けられている場合、天板の上下動作に連れて操作部用配線ケーブルも上下に変位する。
【０００８】
このため、天板高さの変更時に操作部用配線ケーブルがデスクの天板周辺や天板下方に配置された他の物品、さらには他の配線に引っ掛かる可能性がある。
また、通常の執務を行う際にも、操作部用配線ケーブルに触れる可能性があるというのは、操作部用配線ケーブルと駆動制御ユニットとの接続が不測に切断されてしまうなどの事態を招くおそれがあり、好ましくない。
【０００９】
本発明は前記事情に鑑みてなされたもので、執務時および天板高さの変更時のいずれにおいても、操作部用配線ケーブルが執務者および天板周辺の物品等に接触するのを防止することができる、天板昇降式デスクを提供することを目的とする。
【課題を解決するための手段】
【００１０】
本発明の天板昇降式デスクは、床面上に配置される下部支持体と、前記下部支持体の上方に配置されるとともに、前後方向に延びる上部支持体と、これら下部支持体と上部支持体との間を伸縮可能に連結する昇降機構ユニットと、を有する脚体と、前記脚体の上部支持体上に支持される平板状の天板と、前記脚体の昇降機構ユニットを制御する制御ユニットと、を有する天板昇降式デスクにおいて、前記制御ユニットが前記天板の下面側に配設され、前記昇降機構ユニットの昇降動作信号を入力する操作部が、操作部用配線ケーブルを介して前記制御ユニットに接続されると共に、前記天板の前端縁部下面側に配設され、前記操作部用配線ケーブルが、前記上部支持体内に配設されていることを特徴とする。
【００１１】
また、前記天板昇降式デスクにおいては、前記上部支持体の先端部には、前記操作部用配線ケーブルを前記上部支持体内に通す開口部が形成されていることを特徴とする。
【００１２】
また、前記天板昇降式デスクにおいては、前記上部支持体の前記開口部には、該上部支持体内に通された操作部用配線ケーブルを保持するキャップ部材が嵌め込まれていることを特徴とする。
【００１３】
また、前記天板昇降式デスクにおいては、前記脚体は、左右方向に離間して一対配設され、一対の前記脚体の上部支持体同士を連結する連結部材を備えていることを特徴とする。
また、前記天板昇降式デスクにおいては、前記上部支持体は、前記操作部用配線ケーブルを下方から保持する上部アームを備えていることを特徴とする。
【発明の効果】
【００１４】
本発明の天板昇降式デスクによれば、執務時および天板高さの変更時のいずれにおいても、操作部用配線ケーブルが執務者および天板周辺の物品等に接触するのを防止することができる。
【図面の簡単な説明】
【００１５】
【図１】本発明に係る天板昇降式デスクの一実施形態の概略構成を示す斜視図である。
【図２】（ａ）は図１に示した天板昇降式デスクの正面図、（ｂ）は同じく背面図である。
【図３】図２（ａ）のＡ−Ａ線矢視図である。
【図４】上部支持体の概略構成を示す横断面図である。
【図５】一対の上部支持体間に取り付けられた連結部材を示す底面図である。
【図６】図２（ａ）のＢ−Ｂ線矢視図である。
【図７】連結部材と脚体との間の接続部を示す斜視図である。
【図８】（ａ）はキャップ部材が設けられた上部アームの先端部を下側から見た斜視図であり、（ｂ）キャップ部材を内側から見た斜視図である。
【図９】電子機器載置部を示す斜視図である。
【図１０】天板への電子機器載置部の吊支構造を説明するための要部側面図である。
【図１１】キャップ部材の変形例を示す図であって、（ａ）はキャップ部材が設けられた上部アームの先端部の斜視図であり、（ｂ）キャップ部材の斜視図である。
【発明を実施するための形態】
【００１６】
以下、本発明に係る天板昇降式デスクの実施形態を図面に基づいて詳しく説明する。  なお、以下の説明においては、天板昇降式デスクにおける矩形状の天板の長辺の長さ方向を左右方向、天板の短辺の長さ方向を前後方向と記す。
【００１７】
図１は、本発明に係る天板昇降式デスクの一実施形態の概略構成を示す斜視図であり、図２（ａ）は、図１に示した天板昇降式デスクの正面図、図２（ｂ）は、図１に示した天板昇降式デスクの背面図である。なお、図２（ａ）、（ｂ）では、図１に示す電子機器載置部３１の記載を省略している。これらの図において符号１は天板昇降式デスクである。
【００１８】
天板昇降式デスク１は、左右に離間して配置された一対の脚体２、２と、これら一対の脚体２、２間を連結する連結部材３と、脚体２、２上に支持されて連結部材３上に配置された平板状の天板４と、を有しており、一対の脚体２、２にそれぞれ昇降機構ユニット５を備えたことにより、天板４が上下に昇降可能に構成されている。
また、天板昇降式デスク１には、後述するように一対の昇降機構ユニット５、５を共に制御する制御ユニット６（図５参照）が設けられ、さらに、昇降機構ユニット５に昇降動作信号を入力するための操作部７が設けられている。
【００１９】
脚体２は、床面上に配置される下部支持体８と、下部支持体８の上方に配置されて天板４の下面を支持する上部支持体９と、これら下部支持体８と上部支持体９との間を伸縮可能に連結する前記昇降機構ユニット５と、を有して構成されている。
下部支持体８は、前後に延在する板状のもので、前後の各端部にそれぞれアジャスター（図示せず）が設けられたことにより、床面からの高さの微調整が可能に構成されている。
【００２０】
昇降機構ユニット５は、従来公知の構成からなるもので、寸法の異なる複数の角筒が互いに相対移動可能に嵌り合っていることにより、内部に収容された駆動機構の駆動によって上下方向に伸縮可能になっている。これにより、昇降機構ユニット５は下部支持体８と上部支持体９との間を伸縮可能に連結している。
【００２１】
上部支持体９は、図２（ａ）のＡ−Ａ線矢視図である図３に示すように、天板４の前後方向に延在して配置されて、天板４の左右方向における側端部の下面を支持している。この上部支持体９は、昇降機構ユニット５に対して天板４の前側となる前端側９ａの方が長く、天板４の後側となる後端側９ｂの方が短くなるように、昇降機構ユニット５の上端部に溶接等によって一体に固定されている。上部支持体９は、図４の横断面図に示すように金属板が折り曲げられて形成されたもので、天板４の左右方向において外側に配置された外板１０と、外板１０の上端に一体に形成された上部アーム１１と、からなっている。
【００２２】
外板１０は、図３に示すように天板４の前後方向に延在すると共に、天板４の下面から下方に垂下するように形成されたもので、前端側９ａ、後端側９ｂのいずれにおいても、昇降機構ユニット５側から外側に行くに連れて下端縁が漸次天板４に近づくように、下端縁が傾斜して形成されている。なお、前端側９ａ、後端側９ｂのそれぞれの先端部では、下端縁が湾曲して天板４の下面に達するように形成されている。
【００２３】
上部アーム１１は、上部支持体９の前端側９ａでは昇降機構ユニット５との接続部から外板１０の先端より少し手前まで延在しており、後端側９ｂでも昇降機構ユニット５との接続部から外板１０の先端より少し手前まで延在している。上部アーム１１は、図４に示すように天板４の下面に対向し、当接してこれを支持する天板載置部１２と、天板載置部１２の外側縁、すなわち外板１０と反対の側の外側縁から下方に向かって延設された下向部１３と、下向部１３の下端縁から天板載置部１２の内側（外板１０側）に向かい、かつ斜め上方に向かって延設された配線保持部１４と、を有して形成されている。
【００２４】
このような構成のもとに、上部アーム１１はその内部、すなわち下向部１３と配線保持部１４とによって形成された空間部の配線保持部１４上に、各種の配線ケーブルを保持して引き回せるように（通線できるように）なっている。
【００２５】
具体的には、図３に示すように操作部７が配置される側の前端側９ａでは、その配線保持部１４上に、後述する制御ユニット６と操作部７とを接続する操作部用配線ケーブル１５が保持されている。また、図１に示した天板４の左右方向において、操作部７が配置された側と反対の側の上部支持体９では、図３に示すような後端側９ｂの上部アーム１１の配線保持部１４上に、電源ケーブル１６（図１参照）が保持されている。
【００２６】
図１に示すように電源ケーブル１６は、天板昇降式デスク１が配置される執務空間に設けられた電源と、後述する制御ユニット６との間を接続するもので、電源から引き回されて天板昇降式デスク１内に引き入れられる。その際、電源ケーブル１６が天板４の下側に垂れ下がった状態で配置されていると、天板高さの変更時に電源ケーブル１６がデスクの天板４周辺や天板４下方に配置された他の物品、さらには他の配線に引っ掛かる可能性があり、また、執務者が不測に電源ケーブル１６に触れてしまう可能性があるため、好ましくない。
【００２７】
そこで、本実施形態では電源から引き回されてきた電源ケーブル１６は、まず、天板昇降式デスク１の後側から一方の上部支持体９の後端側９ｂの上部アーム１１内、すなわち配線保持部１４上に引き入れられる。そして、後述する連結部材３に形成された空間部１９を通って制御ユニット６に接続されるようになっている。なお、電源ケーブル１６は、天板昇降式デスク１の近傍部において上部アーム１１内に引き入れられるまでの間の部位が、電源ケーブル１６の変位を規制する規制部材（図示せず）に保持されている。電源ケーブル１６は規制部材によって保持されたことにより、その自由な変位が規制されて天板高さの変更時に所定の方向にのみ変位するようになっており、これによって天板周辺の物品等に接触するのが防止されている。
【００２８】
図５は、一対の上部支持体９、９間に取り付けられた連結部材３を示す底面図である。図５に示すように連結部材３は、一対の上部支持体９、９に溶接等によって取り付けられており、これによって一対の脚体２、２の上部支持体９同士を連結している。この連結部材３は、図２（ａ）のＢ−Ｂ線矢視図である図６に示すように金属板が折り曲げられて形成されたもので、天板４の前後に離間して配設された一対の連結片１７、１７と、これら連結片１７、１７間を一体に接続する接続板１８と、を有して構成されている。
【００２９】
連結片１７は、本実施形態では接続板１８の前後方向の各端縁から下方に向かって延設された下向板１７ａと、下向板１７ａの下端縁から内側に向かって延設された水平板１７ｂと、水平板１７ｂの内側縁から上方に向かって延設された上向板１７ｃとからなっている。これら連結片１７、１７間、すなわちそれぞれの上向板１７ｃ、１７ｃ間には、下方に開口する空間部１９が形成されている。
【００３０】
空間部１９は、図５に示すように上向板１７ｃ、１７ｃ間の幅が広く形成された第１空間部１９ａと、第１空間部１９ａより上向板１７ｃ、１７ｃ間の幅が狭く形成された第２空間部１９ｂとからなっている。第１空間部１９ａは、連結部材３の左右方向において所定の間隔をあけて２箇所に形成されている。すなわち、２つの第１空間部１９ａは、連結部材３の左右方向において対称に配置されている。これら第１空間部１９ａ、１９ａ間、およびこれらの左右方向外側には、それぞれ第２空間部１９ｂが形成されている。
【００３１】
一方の第１空間部１９ａには、図５、図６に示すように制御ユニット６が配設され、連結部材３にビス止め等によって固定され、収容されている。制御ユニット６は、一対の脚体２、２のそれぞれに設けられた昇降機構ユニット５、５の昇降動作を、共に制御するもので、電源ケーブル１６に接続されてこれから電力が供給されることにより、作動する。この制御ユニット６には、電源ケーブル１６とは別に、該制御ユニット６と一対の昇降機構ユニット５、５との間を接続するユニット間配線ケーブル２０、２０が接続されており、さらに、前記操作部７の操作部用配線ケーブル１５も接続されている。
【００３２】
このような構成によって制御ユニット６は、電源ケーブル１６から供給された電力を昇降機構ユニット５に送ると共に、操作部７からの昇降機構ユニット５の昇降動作信号を受信すると、受信した信号に基づいて昇降機構ユニット５の昇降動作を制御し、天板高さの変更を行うようになっている。なお、制御ユニット６に接続する電源ケーブル１６やユニット間配線ケーブル２０、２０、操作部用配線ケーブル１５は、制御ユニット６が配置された第１空間部１９ａとは別の第１空間部１９ａや、第２空間部１９ｂに通線される。
【００３３】
図６に示すように連結部材３の下面側には、前後の連結片１７、１７およびこれらの間の空間部１９を覆ってカバー部材２１が取り付けられている。カバー部材２１は、金属板が折り曲げられて形成されたもので、前後の連結片１７、１７のそれぞれの下向板１７ａ、１７ａ間の長さ寸法よりも大きな前後寸法を有している。これにより、カバー部材２１は連結部材３の下面側に取り付けられることにより、連結部材３の前後いずれかの方向に向かって延出している。本実施形態では天板４の後側に延出しているが、前側に延出していてもよく、前後両側に延出していてもよい。
【００３４】
延出している部分は、左右方向に溝状に延びる凹部を有して樋状に形成されて、該凹部内に配線やテーブルタップ等を載置する配線載置部２２となっている。この配線載置部２２には、図２（ｂ）に示すように左右方向における中央部に、外側部の一部が矩形状に切りかかれてなる切欠部２２ａが形成されている。一方、図６に示すように連結部材３を覆う部分となるカバー本体２３は、平板がＬ字状に折曲されて形成されており、連結片１７の水平板１７ｂにビス止めによって着脱可能に取り付けられている。このような構成のもとにカバー部材２１は、連結部材３を介して天板４に吊支されている。
【００３５】
連結部材３の左右両端部には、連結部材３と脚体２との間の接続部を示す図７に示すように、接続部材２４が設けられている。接続部材２４は、連結部材３の左右方向各端部と脚体２との間、すなわち脚体２の上部支持体９と昇降機構ユニット５との間の接続部に設けられたもので、連結部材３の左右方向から見た断面形状がコ字状に形成されている。接続部材２４は、連結部材３の左右方向端部にてこれの下面と両側面とを覆うように取り付けられ、その状態で上部支持体９の外板１０の内面に突き当たるようにして取り付けられている。また、その状態で昇降機構ユニット５の上端に当接してこれを覆っている。そして、接続部材２４は、連結部材３、上部支持体９、昇降機構ユニット５に対してそれぞれ溶接等で固定されている。
【００３６】
接続部材２４の、連結部材３の両側面に当接する側板２５には、上部支持体９の上部アーム１１内に連通して、側板挿通口２５ａが形成されている。側板挿通口２５ａは上部アーム１１内の配線保持部１４上に連通するように形成されると共に、連結部材３の連結片１７、１７間の前記空間部１９にも連通して形成されている。すなわち、連結片１７にも側板挿通口２５ａに連通する挿通口（図示せず）が形成されている。これにより、配線保持部１４に通された配線ケーブルは、側板挿通口２５ａを通って空間部１９に引き入れられ、制御ユニット６に接続されるようになっている。
【００３７】
具体的には、前記したように図３に示した操作部７が配置される側の前端側９ａの配線保持部１４上に通されて保持された操作部用配線ケーブル１５が、側板挿通口２５ａを通って空間部１９に引き入れられ、制御ユニット６に接続される。また、操作部７が配置された側と反対の側の後端側９ｂの配線保持部１４に内に通されて保持された電源ケーブル１６が、側板挿通口２５ａを通って空間部１９に引き入れられ、制御ユニット６に接続される。したがって、操作部用配線ケーブル１５と電源ケーブル１６とは、制御ユニット６に対して互いに左右方向における逆方向から接続するように空間部１９に通線されている。
【００３８】
また、連結部材３の下面には、図７に示すように連結部材３の下面側を覆ってカバー部材２１が取り付けられている。カバー部材２１の左右方向端部には半円状の切欠２１ａが形成されており、この切欠２１ａが連結片１７、１７間の前記空間部１９に通じている。
【００３９】
昇降機構ユニット５には、該昇降機構ユニット５を駆動させるための電力や昇降動作信号を供給するユニット間配線ケーブル２０が設けられており、このユニット間配線ケーブル２０は、昇降機構ユニット５の上端内側面に形成された開口５ａから引き出され、カバー部材２１の切欠２１ａに引き入れられている。そして、空間部１９を通り、制御ユニット６に接続されている。すなわち、ユニット間配線ケーブル２０は空間部１９に通線されている。
【００４０】
天板４は、図１に示すように矩形板状のもので、本実施形態では後側の左右両側部に、該天板４の上下面間を貫通する配線挿通孔２７が穿設されている。この配線挿通孔２７は、例えば図１中に二点鎖線で示すように天板４上に置かれたディスプレイ２８の接続配線ケーブル２９を天板４の下方に案内するためのものである。すなわち、図６に示すように配線挿通孔２７は、カバー部材２１の配線載置部２２の近傍に配置されており、これによって接続配線ケーブル２９を通し、配線載置部２２上に容易に案内できるように構成されている。
【００４１】
配線載置部２２上に案内された接続配線ケーブル２９は、例えば図６中に二点鎖線で示すように、配線載置部２２上に配置されたテーブルタップ３０に接続可能になっている。ただし、本実施形態では、接続配線ケーブル２９は配線載置部２２上を通った後、後述する電子機器載置部３１に載置されたＰＣ本体３２（電子機器）に直接接続されている。なお、配線載置部２２上に配置されたテーブルタップ３０は、例えば図２（ｂ）に示した切欠部２２ａから外側に臨んで配置される。これにより、例えばＡＣアダプターなどの比較的大きく、配線載置部２２上に直接載せられないような接続具を、切欠部２２ａを通してテーブルタップ３０に接続することが可能になる。また、配線挿通孔２７には、該配線挿通孔２７を開閉可能に閉塞する樹脂製のカバー(図示せず)が被着されていてもよい。
【００４２】
図１、図３に示すように天板４の前端縁部下面側には、操作部７が設けられている。操作部７は、昇降機構ユニット５に対してその昇降動作信号を入力するための操作ボタンを有したもので、天板４の下面に取付部材（図示せず）を介して取り付けられている。この操作部７には操作部用配線ケーブル１５が接続されており、操作部用配線ケーブル１５は、前述したように天板４の左右方向において操作部７と同じ側に位置する上部支持体９の前端側９ａの、上部アーム１１内に引き入れられている。
【００４３】
操作部用配線ケーブル１５が引き入れられる上部支持体９の前端側９ａには、図８（ａ）に示すようにその先端部にキャップ部材３３が設けられている。キャップ部材３３は、上部支持体９の前端側９ａの上部アーム１１内に通された操作部用配線ケーブル１５を保持するもので、上部支持体９の前端側９ａの先端部に嵌め込まれ、その状態で上部支持体９に固定されている。
【００４４】
キャップ部材３３は、上部支持体９の先端部に該上部支持体９の長さ方向に嵌め込まれる嵌合部３４と、上部支持体９の先端に係止する外端部３５とからなる樹脂製の一体成形品である。また、キャップ部材３３は、キャップ部材３３の内側を示す図８（ｂ）に示すように、嵌合部３４および外端部３５の外形に沿う略コ字状の外板３３ａと、外板３３ａの一方の側に設けられた側板３３ｂとからなっている。
【００４５】
外板３３ａには、嵌合部３４と外端部３５との間に段差部３３ｃが形成されており、この段差部３３ｃが、図８（ａ）に示すように上部支持体９の先端に係止する係止部となっている。
外端部３５の外端面３５ａには、操作部用配線ケーブル１５を引き入れるための切欠口３５ｂが、上部アーム１１の天板載置部１２側が切り欠かれ、開かれて形成されている。
【００４６】
図８（ｂ）に示すように嵌合部３４側の側板３３ｂには、上部支持体９の上部アーム１１の天板載置部１２の裏面に当接する当接部３４ａが形成されている。当接部３４ａは、天板載置部１２側に突出して形成されたもので、外端面３５ａ側が半円形状に湾曲して形成されている。この当接部３４ａには、ビス挿通用のビス孔３４ｂが形成されている。
【００４７】
また、キャップ部材３３には、その内面側に、外板３３ａと当接部３４ａとの間に略Ｕ字状の溝部３３ｄが形成されている。すなわち、当接部３４ａが、嵌合部３４の幅方向、すなわち上部支持体９の長さ方向と直交する方向の中央部に形成されていることにより、外端面３５ａ側から当接部３４ａの両側に向かって、略Ｕ字状の溝部３３ｄが形成されている。
【００４８】
このような構成のもとに、操作部７に接続する操作部用配線ケーブル１５は、外端部３５の切欠口３５ｂから溝部３３ｄ内に引き入れられ、さらに当接部３４ａの一方の外側を通って上部アーム１１内に引き入れられる。ただし、実際の組み立てでは、図５に示す制御ユニット６側から空間部１９を通り、さらに連結片１７の挿通口、および図７に示す接続部材２４の側板挿通口２５ａを通って上部アーム１１内に通された操作部用配線ケーブル１５を、図８（ａ）に示す上部アーム１１の先端から引き出しておく。その際、操作部用配線ケーブル１５には操作部７が接続しているものとする。
【００４９】
このようにして操作部用配線ケーブル１５を上部アーム１１の先端から引き出して伸ばしたら、キャップ部材３３を上部アーム１１の先端から嵌め込む。その際、操作部用配線ケーブル１５を溝部３３ｄ内に通し、さらに切欠口３５ｂ内を通して外側に引き出す。その後、当接部３４ａのビス孔３４ｂにビス３６を差し込み、上部アーム１１の天板載置部１２に形成されたビス孔（図示せず）を通して天板４に形成された雌ねじ部（図示せず）に螺着する。操作部７については、取付部材によって天板４の下面に取り付ける。
【００５０】
このようなキャップ部材３３を上部支持体９の前端側９ａに設けたことにより、操作部用配線ケーブル１５を上部支持体９の上部アーム１１内に容易に収容することができ、また、金属板からなる上部支持体９の端面を露出させることなく覆うことができる。すなわち、キャップ部材３３は操作部用配線ケーブル１５の収容を容易にすると共に、上部支持体９の端面を覆う化粧材としても機能する。
【００５１】
また、本実施形態では、図１に示すように天板４の下面に電子機器載置部３１が吊支されている。電子機器載置部３１は、図９に示すように床面と略平行に配置される載置板３７と、載置板３７の左右端部から上方に向かって延設された左右一対の側板３８、３８とによって正面視略コ字状に形成されたもので、本実施形態では一対の側板３８、３８のそれぞれの上端部に、前後方向中央部の一部が切り欠かれて配線挿通用開口３９が形成されている。
【００５２】
また、電子機器載置部３１には、一対の側板３８、３８の上端縁間に、吊支板４０が一体に形成されている。吊支板４０は、前記配線挿通用開口３９の前側と後側とにそれぞれ形成されており、ビス孔を有し、このビス孔にビスが通されることで天板４の下面に取り付けられるようになっている。これにより、電子機器載置部３１は天板４の下面に吊支される。
【００５３】
このような構成からなる電子機器載置部３１は、前側、後側が共に開口しており、したがって図１に示すようにこの電子機器載置部３１内に、ＰＣ本体（電子機器）３２が容易に収容できるようになっている。ここで、ＰＣ本体３２は、天板４上に置かれる前記ディスプレイ２８に接続されてデスクトップパソコンを構成するもので、接続配線ケーブル２９を介してディスプレイ２８に接続される。
【００５４】
なお、この電子機器載置部３１には、ＰＣ本体３２が後側の開口から不測に落下したり、後述するように接続配線ケーブル２９が配線挿通用開口３９を通ってではなく、後側の開口を通ってディスプレイ２８に接続されるのを防止するため、図９に示すように後側の開口を覆う蓋４１を開閉可能に被着してもよい。
【００５５】
また、電子機器載置部３１は、天板４の下面に吊支される際、図１０に示すように前記連結部材３およびカバー部材２１を跨いで吊支される。すなわち、電子機器載置部３１は、連結部材３およびカバー部材２１が一対の側板３８、３８のそれぞれの配線挿通用開口３９、３９を通るように配置され、天板４の下面に取り付けられる。ただし、配線挿通用開口３９、３９はカバー部材２１の前後方向の長さより長く形成されており、したがってその一部はカバー部材２１に塞がれることなく、開口している。
【００５６】
本実施形態では、配線挿通用開口３９、３９のカバー部材２１に塞がれることなく開口した部位３９ａ、３９ａが、天板４に形成された配線挿通孔２７の近傍に位置するように配置されている。すなわち、前記部位３９ａ、３９ａが配線挿通孔２７の近傍に位置するように、電子機器載置部３１が天板４の下面に取り付けられ、吊支されている。このような構成のもとに電子機器載置部３１に載置されるＰＣ本体３２の接続配線ケーブル２９は、一方の配線挿通用開口３９を通って例えば切欠部２２ａから一旦配線載置部２２上に案内され、さらに配線載置部２２上に通線されてここに一部保持された後、配線挿通孔２７を通って天板４上に引き出され、ディスプレイ２８に接続されるようになっている。
【００５７】
このような構成からなる天板昇降式デスク１にあっては、図１に示す操作部７を操作して昇降動作信号を送信することで昇降機構ユニット５、５を共に駆動させ、天板４の高さを任意に変更することができる。その際、電源ケーブル１６やユニット間配線ケーブル２０、２０、操作部用配線ケーブル１５、さらには電子機器（ＰＣ本体３２、ディスプレイ２８）の接続配線ケーブル２９を、連結部材３の空間部１９やカバー部材２１の配線載置部２２上に配置しているので、これら配線ケーブルが外部にほとんど露出することなく、したがって執務時はもちろん、天板高さの変更時にも配線ケーブルどうしが互いに干渉することが防止される。
【００５８】
本実施形態の天板昇降式デスク１によれば、操作部７を、操作部用配線ケーブル１５を介して制御ユニット６接続すると共に、天板４の前端縁部下面側に配設しているので、執務者が天板４を上下昇降させる際の操作性が良好になる。また、操作部用配線ケーブル１５を上部アーム１１内に配設しているので、執務時および天板高さの変更時のいずれにおいても、操作部用配線ケーブル１５が執務者および天板周辺の物品等に接触するのを防止することができる。さらに、操作部用配線ケーブルが外部に露出しないため、デスクとしての外観意匠性が良好になる。
【００５９】
また、上部アーム１１を、天板載置部１２と下向部１３と配線保持部１４とによって形成しているので、上部アームを簡易的で安価な構造とすることができる。また、配線保持部１４に操作部用配線ケーブル１５を保持しているので、上部アーム１１内に操作部用配線ケーブル１５を確実に保持することができる。
【００６０】
また、上部アーム１１の先端部に、該上部アーム１１内に通された操作部用配線ケーブル１５を保持するキャップ部材３３を取り付けているので、キャップ部材３３によって操作部用配線ケーブル１５を上部アーム１１内に容易に、かつ確実に保持することができる。また、上部アーム１１の先端部をキャップ部材３３で覆うことでキャップ部材３３を上部支持体９の端面を覆う化粧材として機能させることができ、したがって天板昇降式デスク１の外観意匠性を高めることができる。
【００６１】
また、連結部材３を前後に離間して配設された一対の連結片１７、１７で構成し、これら前後の連結片１７、１７間に形成された空間部１９に制御ユニットを配設し、上部アーム１１内と連結片１７、１７間に形成された空間部１９とを連結片１７の左右方向端部に設けた挿通口を介して連通させ、制御ユニット６と昇降機構ユニット５とを接続するユニット間配線ケーブル２０、および制御ユニット６と操作部７とを接続する操作部用配線ケーブル１５を、共に空間部１９に通線しているので、執務時および天板高さの変更時のいずれにおいても、ユニット間配線ケーブル２０および操作部用配線ケーブル１５が執務者および天板周辺の物品等に接触するのを防止することができる。さらに、ユニット間配線ケーブル２０も外部に露出しないため、天板昇降式デスク１の外観意匠性が良好になる。
【００６２】
なお、本発明は前記実施形態に限定されることなく、本発明の主旨を逸脱しない範囲で種々の変更が可能である。
例えば、前記実施形態では連結部材３を、一対の連結片１７、１７と、これら連結片１７、１７間を一体に接続する接続板１８と、を有した一体成形品としたが、単に一対の連結片１７、１７のみとし、これら連結片１７が前後に間隔をあけて天板４に取り付けられて、連結片１７、１７間に空間部１９が形成されるように構成してもよい。
【００６３】
また、前記実施形態では電子機器載置部３１として、一対の側板３８、３８のそれぞれの上端部において、前後方向中央部の一部を切り欠いて配線挿通用開口３９を形成したが、前後方向中央部ではなく、前後方向の一方の側を切り欠いて配線挿通用開口３９を形成してもよい。
【００６４】
また、前記実施形態では、図８（ａ）に示したようにキャップ部材３３を、その当接部３４ａが天板４側に向くようにして、上部支持体９の前端側９ａの先端部に嵌め込んだが、図１１（ａ）に示すように、当接部３４ａに対応するボス５０を、天板４と反対側を向くように、すなわちボス５０が露出するように、キャップ部材５１を上部支持体９の前端側９ａの先端部に嵌め込んでもよい。ここで、図１１（ａ）に示したキャップ部材５１は、図８（ｂ）に示したキャップ部材３３に対して、ボス５０の形状がこれに対応する当接部３４ａと異なっているだけで、他の部位については基本的に同じである。
【００６５】
すなわち、本例のキャップ部材５１は、図１１（ｂ）に示すようにボス５０が平面視長円形状に形成されているだけで、他の部位は図８（ｂ）に示したキャップ部材３３と同一である。このようなキャップ部材５１を用いた場合には、図１１（ａ）に示すように操作部用配線ケーブル１５を単にボス５０の側方に通すようにしてもよいが、図１１（ｂ）に示すように操作部用配線ケーブル１５をボス５０に一周（または複数周）巻き付けることで、操作部用配線ケーブル１５の余長分を収容できると共に、操作部用配線ケーブル１５を抜け止めすることもできる。すなわち、ボス５０を操作部用配線ケーブル１５の抜け止めとして機能させることができる。その際、ボス５０は長円形状に形成されているため、操作部用配線ケーブル１５は引っかかることなく容易にボス５０に巻回されるようになる。なお、ボス５０の平面視形状としては、長円形状に代えて、例えば楕円形状や円形状にすることもできる。
【００６６】
また、前記実施形態では電子機器として、ＰＣ本体３２とディスプレイ２８とからなるデスクトップパソコンを用い、電子機器載置部３１にＰＣ本体３２を載置するようにしたが、例えばルーターなどを電子機器として用い、これを電子機器載置部３１に載置するようにしてもよい。
【符号の説明】
【００６７】
１…天板昇降式デスク、２…脚体、３…連結部材、４…天板、５…昇降機構ユニット、６…制御ユニット、７…操作部、８…下部支持体、９…上部支持体、１１…上部アーム、１２…天板載置部、１３…下向部、１４…配線保持部、１５…操作部用配線ケーブル、１６…電源ケーブル、１７…連結片、１９…空間部、２０…ユニット間配線ケーブル、２１…カバー部材、２２…配線載置部、２７…配線挿通孔、２８…ディスプレイ、２９…接続配線ケーブル、３１…電子機器載置部、３２…ＰＣ本体、３３、５１…キャップ部材
【図１】
2019037859.tif 000003
【図２】
2019037859.tif 000004
【図３】
2019037859.tif 000005
【図４】
2019037859.tif 000006
【図５】
2019037859.tif 000007
【図６】
2019037859.tif 000008
【図７】
2019037859.tif 000009
【図８】
2019037859.tif 000010
【図９】
2019037859.tif 000011
【図１０】
2019037859.tif 000012
【図１１】
2019037859.tif 000013